(57)【要約】【課題】蓋に比較的大きな口をあけることができる飲料容器用部分開口用蓋を提供する【解決手段】部分開口用蓋(１)は、外蓋(４)と内蓋(５)とが積層されてなるものである。内蓋(５)は、下面に熱封緘性樹脂層を有する無延伸ポリプロピレンフィルム層よりなり、４個の切れ目線(６)で囲まれた飲み口用部分開口予定部(７)が設けられており、かつ隣り合う切れ目線(６)間の非切れ目部(８)が部分開口予定部(７)の開口開始端に位置しないようになされている。蓋(１)には、外蓋引剥がし用摘み(１２)が一体に設けられている。【選択図】図２
2014104977.tif 000002
【特許請求の範囲】
【請求項１】
外蓋と内蓋とが積層されてなり、内蓋が下面に熱封緘性樹脂層を有する無延伸ポリプロピレンフィルム層から形成され、かつこの内蓋に2〜６個の切れ目線で囲まれた部分開口予定部が設けられ、隣り合う切れ目線間の非切れ目部の距離が０．３mm〜０．６mmとなされ、外蓋下面に内蓋の無延伸ポリプロピレンフィルムと界面剥離可能な溶融押出しによるポリエチレン系フィルム層が設けられ、内蓋の非切れ目部が部分開口予定部の開口開始端に位置しないようになされており、外蓋に外蓋引剥がし用摘みが一体に設けられている部分開口用蓋。
【請求項２】
外蓋のポリエチレン系フィルム層と内蓋のポリプロピレン系フィルム層とのラミネート強度が０．０５〜３．００Ｎ／１５mm幅である請求項１記載の部分開口用蓋。
【発明の詳細な説明】
【技術分野】
【０００１】
本発明は、飲料容器の蓋に使用される部分開口用蓋、とくにホットコーヒ等のホット飲料容器の蓋として使用されるのに適した部分開口用蓋に関する。
【背景技術】
【０００２】
飲料容器としては、下層に熱封緘材層を有する蓋を容器の口縁フランジに熱封緘して密封されたものが知られている。そして、開封したさい、蓋の下層が容器側に残り、これにストローを差込むための小さな口があいているものがある。ところが、コーヒー等のホット飲料は、通常、常温で容器に充填して蓋で密封し、販売前にこれをウォーマーに入れて加熱するので、ストローで飲むと火傷の危険性がある。そこで、ストローを用いずに飲むことのできる比較的大きな口が容器の口縁フランジに熱封緘された蓋に存在するものが望まれる。
【発明の概要】
【発明が解決しようとする課題】
【０００３】
ところで、特許文献１に示されているものは、容器の口縁フランジに揺動自在な開封部材を有するキャップの横断面逆L状下端が嵌止められたものであって、キャップに設けられた開封部材を指で押下げて熱封緘材製蓋に大きな口をあけるものである。しかしながら、このような構造のキャップを容器に取付けることはコスト高になるばかりか、開封部材を押下げたさい、容器の内容物に指が触れるおそれがあるし、内容物が飲料の場合、飲んでいる途中に容器とキャップの間から、飲料が洩れる可能性もある。
【０００４】
本発明の目的は、上記のような問題もなく蓋に比較的大きな口を簡単にあけることができる飲料容器用部分開口用蓋を提供するにある。
【課題を解決するための手段】
【０００５】
請求項１の発明による部分開口用蓋は、外蓋と内蓋とが積層されてなり、内蓋が下面に熱封緘性樹脂層を有する無延伸ポリプロピレンフィルム層から形成され、かつこの内蓋に2〜６個の切れ目線で囲まれた部分開口予定部が設けられ、隣り合う切れ目線間の非切れ目部の距離が０．３mm〜０．６mmとなされ、外蓋下面に内蓋の無延伸ポリプロピレンフィルムと界面剥離可能な溶融押出しによるポリエチレン系フィルム層が設けられ、内蓋の非切れ目部が部分開口予定部の開口開始端に位置しないようになされており、外蓋に外蓋引剥がし用摘みが一体に設けられているものである。
【０００６】
上記において、外蓋としては、アルミニウム箔層とその下面に形成せられたポリエチレン系フィルム層とよりなるものが好ましい。
【０００７】
上記において、内蓋の切れ目線が１個では、部分開口予定部が得られず、切れ目線が６個を超えると、隣り合う切れ目線間の非切れ目部に伸びが発生し易くなる。
【０００８】
上記において、隣り合う切れ目線間の非切れ目部の距離が０．３mm未満では、部分開口予定部の加工が困難であり、非切れ目部の距離が０．６mmを超えると、外蓋を容器の口縁フランジに熱封緘されている内蓋から剥取るさい、非切れ目部が切れにくく、所望の部分開口が得られない。
【０００９】
請求項２の発明は、請求項１記載の部分開口用蓋において、外蓋のポリエチレン系フィルム層と内蓋のポリプロピレン系フィルム層とのラミネート強度が０．０５〜３．００Ｎ／１５mm幅であるものである。
【００１０】
上記において、ラミネート強度が０．０５Ｎ／１５mm幅未満であると、ラミネート強度が弱すぎて外蓋が内蓋より自然に離れてしまい、３．００Ｎ／１５mm幅を超えると、ラミネート強度が強すぎて外蓋を内蓋より剥がしにくくなり、部分開口が得られない。
【発明の効果】
【００１１】
請求項１の発明による部分開口用蓋は、外蓋と内蓋とが積層されてなり、内蓋が下面に熱封緘性樹脂層を有する無延伸ポリプロピレンフィルム層から形成され、かつこの内蓋に2〜６個の切れ目線で囲まれた部分開口予定部が設けられ、隣り合う切れ目線間の非切れ目部の距離が０．３mm〜０．６mmとなされ、外蓋下面に内蓋の無延伸ポリプロピレンフィルムと界面剥離可能な溶融押出しによるポリエチレン系フィルム層が設けられているから、この蓋は、容器の口縁フランジに熱封緘することかができ、容器内の飲料を飲むときは、外蓋を容器に直接熱封緘せられている内蓋から簡単に引剥がすことができる。そして、外蓋の引剥がしにともなって、部分開口予定部を囲んでいる隣り合う切れ目線間の非切れ目部が切れて切れ目線とつながり、その内側部分が外蓋と一体となって内蓋から取去られ、部分開口部が得られる。このさい隣り合う切れ目線間の非切れ目部が部分開口予定部の開口開始端に位置しないようになされており、外蓋に外蓋引剥がし用摘みが一体に設けられているから、切れ目線で囲まれた部分が内蓋から確実かつ簡単に切取ることができる。隣り合う切れ目線間の非切れ目部が部分開口予定部の開口開始端に位置していると、非切れ目部が外蓋の引剥がしにともなって開口方向にひげ状に伸びてから切れるため、綺麗な部分開口部が得られないおそれがあるが、このような心配もない。そして、部分開口予定部の面積を必要とする飲み口の大きさに合わせて選ぶことができるので、比較的大きな飲み口を得ることも可能である。しかも、外蓋を容器に直接熱封緘せられている内蓋から引剥がすだけで内蓋に部分開口部すなわち飲み口が得られるから、容器内の飲料が手に触れることはないし、部分開口用蓋自体が安価に得られる利点がある。
【図面の簡単な説明】
【００１２】
【図１】本発明による蓋を容器に施した状態における一部の拡大垂直断面図である。
【図２】本発明による蓋を容器に施した後、外蓋を除いて内蓋を現した平面図である。
【図３】容器に施された蓋のうち外蓋を一部上方に剥し、内蓋に飲み口が現れた状態を示す容器の一部斜視図である。
【図４】図３のIV−IV線にそう拡大断面図である。
【図５】隣り合う切れ目線間の非切れ目部が部分開口予定部の開口開始端に位置している場合の内蓋を示す図２に対応する平面図である。
【図６】容器に施された蓋のうち外蓋を剥取った後、内蓋に現れた飲み口の開口端に非切れ目部がひげ状となって残った状態を示す内蓋付き容器の一部拡大垂直断面図である。
【発明を実施するための形態】
【００１３】
図１ないし図４は、本発明による部分開口用蓋(１)を施した上縁にフランジ(２)を有するコップ状容器(３)を示す。部分開口用蓋(１)は、外蓋(４)と内蓋(５)とが積層されてなるものである。内蓋(５)は、下面に熱封緘性樹脂層(図示略)を有する無延伸ポリプロピレンフィルム層よりなり、これには図２に示すように、４個の切れ目線(６)で囲まれた飲み口用部分開口予定部(７)が設けられており、かつ隣り合う切れ目線(６)間の非切れ目部(８)が部分開口予定部(７)の開口開始端に位置しないようになされている。外蓋(４)は、厚さ１５ｍμのアルミニウム箔(９)の下面に厚さ１２ｍμのポリエチレンテレフタレートフイルム(１０)がポウレタン系ドライラミネート接着剤により貼合わせたものである。さらにその下面に溶解したポリエチレンを押出し、その粘着性を利用して内蓋(５)を接合することにより、内蓋(５)の無延伸ポリプロピレンフィルムと界面剥離可能な溶融押出しによるポリエチレン系フィルム層(１１)が設けられている。蓋(１)には、部分開口予定部(７)の反対外側にコップ状容器(３)のフランジ(２)を越える大きさの外蓋引剥がし用摘み(１２)が一体に設けられており、その下面にフランジ(２)の外縁に沿う切込み(１３)がいれられている。
【００１４】
コップ状容器(３)内の飲料を飲むさい、コップ状容器(３)に熱封緘されている部分開口用蓋(１)の引剥がし用摘み(１２)を手で掴んで外蓋(４)を斜め上方に引っ張ると、図３および図４に示されているように、外蓋(４) は内蓋(３)から引剥がされるが、このさい内蓋(３)にある切れ目線(６)どうしの間の非切れ目部(８)が内蓋(３)から引千切られて部分開口予定部相当部分(１４)が外蓋(４)と一体になって斜め上方に引上げられる。その結果、内蓋(３)に部分開口部である比較的大きな飲み口(１５)が得られる。
【００１５】
ところで、いま図５に示すように、４個の切れ目線(６)で囲まれた飲み口用部分開口予定部(７)において、隣り合う切れ目線(６)間の非切れ目部(８)が部分開口予定部(７)の開口開始端に位置しているとすると、引剥がし用摘み(１２)を手で掴んで外蓋(４)を斜め上方に引っ張ったさい、非切れ目部(８)が外蓋(４)の内蓋(３)からの引剥がしにともなって開口方向にひげ状に伸びてから切れるので、飲み口(１５)の美観を損ねるばかりではなく、飲料を飲むさいにこのひげ(１６)が舌や口に触り不快感を与える。
【００１６】
本発明による上記構成の部分開口用蓋の内蓋に、非切れ目部が２個、４個および６個あり、さらにこれらそれぞれに非切れ目部の距離が０．３mm、０．６mm、１mm、３mmであるものを合計１２個用意し、各蓋をポリプロピレン製コップ状容器の開口部に被せ、１９０゜C、９０Kgf／１個の条件で１秒間加熱加圧して熱封緘した。そして、これらの各外蓋を各内蓋から引剥がし、部分開口すなわち飲み口の発現状態を目視で確認し、下記の基準で評価したところ、その結果は、表１のとおりであった。
【００１７】
○: 飲み口が完全に発現する。
△: 飲み口が一部発現しない。
×: 飲み口が全く発現しない。
【００１８】
【表１】
2014104977.tif 000003
A: 非切れ目部が部分開口予定部の開口開始端に位置している場合
B: 非切れ目部が部分開口予定部の開口開始端に存在しない場合
【００１９】
表１から、非切れ目部が部分開口予定部の開口開始端に位置していると、切れ目線の数や距離に関係なく、飲み口が完全な状態に発現しないが、非切れ目部が部分開口予定部の開口開始端に存在しない場合は、非切れ目部の数が少なくかつ非切れ目部の距離が短い程飲み口が完全に発現することが分かる。
【符号の説明】
【００２０】
(１)   部分開口用蓋
(４)   外蓋
(５)   内蓋
(６)   切れ目線
(７)   部分開口予定部
(８)   非切れ目部
(１２)  外蓋引剥がし用摘み
【先行技術文献】
【特許文献】
【００２１】
【特許文献１】特開２００６−３４１９１９号公報
【特許文献２】特開２００８−４４６５７号公報
【特許文献３】特開２０１−１４３５８３号公報
【図１】
2014104977.tif 000004
【図２】
2014104977.tif 000005
【図３】
2014104977.tif 000006
【図４】
2014104977.tif 000007
【図５】
2014104977.tif 000008
【図６】
2014104977.tif 000009